(57)【要約】【課題】  球面部や曲面部を容易かつ自在に形成可能にして、形状面の多様性、更にはファンタジ性を拡大するとともに、安価な素材による低コスト化及び大幅な軽量化を実現する。【解決手段】  被火葬体Ｈを収容する上方が開放された本体部２と、この本体部２の上方を覆うことにより全体を密閉状に閉塞する蓋部３とを有する棺１（棺用内部カバー１ｓ）を構成するに際して、本体部２及び蓋部３をそれぞれ紙Ｐにより形成し、かつ本体部２の全部又は一部、及び／又は，蓋部３の全部又は一部に、球面部Ｓｓ及び／又は曲面部Ｓｒを形成するとともに、本体部２の底面２ｄに、紙Ｐにより形成し、かつ被火葬体Ｈの荷重を支持する底盤部４を設ける。【選択図】  図１
2016096893.tif 000002
【特許請求の範囲】
【請求項１】
被火葬体を収容する上方が開放された本体部と、この本体部の上方を覆うことにより全体を密閉状に閉塞する蓋部とを有する棺において、前記本体部及び前記蓋部をそれぞれ紙により形成し、かつ前記本体部の全部又は一部、及び／又は，前記蓋部の全部又は一部に、球面部及び／又は曲面部を形成するとともに、前記本体部の底面に、紙により形成し、かつ前記被火葬体の荷重を支持する底盤部を設けてなることを特徴とする棺。
【請求項２】
前記本体部の全部又は一部、及び／又は，前記蓋部の全部又は一部に、プレス成形により外方又は内方に膨出形成した模様部を設けることを特徴とする請求項１記載の棺。
【請求項３】
前記紙は、ダンボール紙を用いることを特徴とする請求項１又は２記載の棺。
【請求項４】
前記底盤部は、縦方向に配した複数のダンボール紙を横方向に積層して構成することを特徴とする請求項３記載の棺。
【請求項５】
前記蓋部には、開口部及びこの開口部を開閉する扉部を有することを特徴とする請求項１記載の棺。
【請求項６】
前記扉部は、紙を用いたヒンジ部により、又は紙を用いたレール部により、開閉変位可能に支持することを特徴とする請求項５記載の棺。
【請求項７】
被火葬体を収容する上方が開放された本体部と、この本体部の上方を覆うことにより全体を密閉状に閉塞する蓋部とを有する棺用内部カバーであって、前記本体部及び前記蓋部をそれぞれ紙により形成し、かつ前記本体部の全部又は一部、及び／又は，前記蓋部の全部又は一部に、球面部及び／又は曲面部を形成するとともに、前記本体部の底面に、紙により形成し、かつ前記被火葬体の荷重を支持する底盤部を設けてなることを特徴とする棺用内部カバー。
【発明の詳細な説明】
【技術分野】
【０００１】
本発明は、被火葬体を収容する上方が開放された本体部及びこの本体部の上方を覆うことにより全体を密閉状に閉塞する蓋部を備える棺及び棺用内部カバーに関する。
【背景技術】
【０００２】
一般に、お葬式には棺が使用されるが、棺は火葬場で被火葬体と一緒に焼かれるため、その殆どは木製である。しかも、火葬場における焼炉の関係から大きさが制限され、棺の大きさは火葬場に応じて画一的に決められているのが実情である。一方、時代による価値観の多様化により、葬祭形式も大きく変わりつつあり、合理性の観点から、より簡略化した個人葬を選択する人も増えている。このため、棺にも合理性が求められ、例えば、ダンボールを用いた棺も提案されるに至っている。
【０００３】
従来、この種の棺としては、特許文献１で開示される折たたみ式ダンボール棺が知られている。この折たたみ式ダンボール棺は、木製長箱棺に代わるダンボール棺であるが、災害地搬入携帯用棺としての使用が可能であって、安価な棺であるため、福祉用葬儀等に使用できるほか、夏期死体等のクーラーボックスとしても使用できるようにすることを目的としたものであり、具体的には、ドライアイスの付着水分浸透防止と棺内の断熱効果を得る目的においてダンボール棺箱両側面を二重構造に加工して内面外面間に中空部を設け、更に棺底面に吸水性の高い乾燥合板等を付設した構造を備えたものである。
【先行技術文献】
【特許文献】
【０００４】
【特許文献１】特開平９−２１５７１８号公報
【発明の概要】
【発明が解決しようとする課題】
【０００５】
しかし、上述した従来の棺は、災害地搬入携帯用棺或いは福祉用葬儀を念頭においた棺であるため、次のような難点もあった。
【０００６】
即ち、低廉化及び携帯性（折りたたみ性）を考慮したものであるため、全体の構成は、従来からの直方体形状をそのまま踏襲する。したがって、単に、木製を紙製に素材変更したに留まるとともに、一部に木製の合板を使用するなど、ダンボールを利用するとしても必ずしも十分と言えるものではない。
【０００７】
特に、形状が直方体形状の箱に固定されるため、選べる形状が限定的となる難点がある。生きてきた最後に身を包むものとして、人によっては、例えば、宗教的な象徴になる形態や自分の人生そのものの象徴になる形態など、特定の形態を積極的に希望する場合があるとともに、直方体形状の箱そのものを望まない場合も考えられるが、従来の棺では、これらの様々な要求に応えられないのが実情である。このため、一般のお葬式であっても十分に利用できるようにするとともに、形状面からの多様性を広げる観点からは更なる改善の余地があった。
【０００８】
本発明は、このような背景技術に存在する課題を解決した棺及び棺用内部カバーの提供を目的とするものである。
【課題を解決するための手段】
【０００９】
本発明に係る棺１は、上述した課題を解決するため、被火葬体Ｈを収容する上方が開放された本体部２と、この本体部２の上方を覆うことにより全体を密閉状に閉塞する蓋部３とを有する棺を構成するに際して、本体部２及び蓋部３をそれぞれ紙Ｐにより形成し、かつ本体部２の全部又は一部、及び／又は，蓋部３の全部又は一部に、球面部Ｓｓ及び／又は曲面部Ｓｒを形成するとともに、本体部２の底面２ｄに、紙Ｐにより形成し、かつ被火葬体Ｈの荷重を支持する底盤部４を設けてなることを特徴とする。
【００１０】
この場合、発明の好適な態様により、本体部２の全部又は一部、及び／又は，蓋部３の全部又は一部に、プレス成形により外方又は内方に膨出形成した模様部１１を設けることができる。なお、紙Ｐには、ダンボール紙Ｐｄを用いることが望ましい。また、底盤部４は、縦方向Ｆｖに配した複数のダンボール紙Ｐｄ…を横方向Ｆｈに積層して構成することができる。一方、蓋部３には、開口部１２及びこの開口部１２を開閉する扉部１３を設けることができる。この際、扉部３は、紙Ｐを用いたヒンジ部１４により、又は紙Ｐを用いたレール部１５により、開閉変位可能に支持することができる。他方、本発明に係る棺１は、直方体形状に形成する一般的な棺の中に入れて使用する棺用内部カバー１ｓとして使用することもできる。
【発明の効果】
【００１１】
このような構成を有する本発明に係る棺１及び棺用内部カバー１ｓによれば、次のような顕著な効果を奏する。
【００１２】
（１）  本体部２及び蓋部３を構成する素材として加工性に優れた紙Ｐを用いるため、球面部Ｓｓや曲面部Ｓｒを容易かつ自在に形成できる。したがって、様々な形状（形態）を容易に実現できるとともに、特に、生きてきた最後に身を包むものとして、宗教的或いは個人的なものも含め、様々な要求に応えることができるなど、形状面の多様性、更にはファンタジ性を飛躍的に拡大させることができる。しかも、住宅内等で移動させる際に、狭い直角通路であっても容易に通過できるとともに、棺の角を、壁や柱にぶつけてしまう不具合を回避できる。
【００１３】
（２）  紙Ｐにより形成し、本体部２に対して被火葬体Ｈの荷重を支持する底盤部４を組合わせたため、基本的に木製部分を一切排除可能となる。この結果、安価な素材による低コスト化を図れるとともに、大幅な軽量化を実現できるなど、木製の棺に存在する問題点をほぼ完璧に近い形で解消できる。
【００１４】
（３）  好適な態様により、本体部２の全部又は一部、及び／又は，蓋部３の全部又は一部に、プレス成形により外方又は内方に膨出形成した模様部１１を設ければ、紙Ｐを使用する場合であっても、外観上、凹凸のある模様部１１を容易に形成できるため、花や図案等の模様に対する立体感や高級感を容易に醸し出すことができる。
【００１５】
（４）  好適な態様により、紙Ｐとして、ダンボール紙Ｐｄを用いれば、厚さや強度等のダンボール紙Ｐｄの有するメリットを享受できるため、棺１及び棺用内部カバー１ｓを製造する際における最適な素材として採用できる。
【００１６】
（５）  好適な態様により、底盤部４を構成するに際し、縦方向Ｆｖに配した複数のダンボール紙Ｐｄ…を横方向Ｆｈに積層して構成すれば、垂直方向に付与される力に対する必要かつ十分な強度を得れるため、特に、被火葬体Ｈの荷重を支持するに必要な強度を容易に確保できる。
【００１７】
（６）  好適な態様により、蓋部３に、開口部１２及びこの開口部１２を開閉する扉部１３を設ければ、一般的な棺に設けられ小窓（扉）と同様に機能させることができるため、棺１及び棺用内部カバー１ｓに必要となる基本的な機能を容易に確保できる。
【００１８】
（７）  好適な態様により、扉部３を支持するに際し、紙Ｐを用いたヒンジ部１４により、又は紙Ｐを用いたレール部１５により、開閉変位可能に支持すれば、棺１及び棺用内部カバー１ｓを構成する全ての素材（部品）を紙Ｐで形成できるため、焼いた後に無用な異物が残留する弊害を回避できる。したがって、棺１及び棺用内部カバー１ｓにとって最適な形態として実施できる。
【図面の簡単な説明】
【００１９】
【図１】本発明の好適実施形態に係る棺の外観正面図、
【図２】同棺の外観側面図、
【図３】同棺の外観平面図、
【図４】同棺における離間した状態の本体部と蓋部の外観正面図、
【図５】同棺の一部抽出拡大図を含む断面正面図、
【図６】同棺に備える底盤部を示す平面図、
【図７】同棺における蓋部の変更例を示す外観平面図、
【図８】図７中Ａ−Ａ線端面図、
【図９】本発明の変更実施形態に係る棺の外観斜視図、
【図１０】同棺の断面側面図、
【発明を実施するための形態】
【００２０】
次に、本発明に係る好適実施形態を挙げ、図面に基づき詳細に説明する。
【００２１】
まず、本実施形態に係る棺１の構成について、図１〜図６を参照して説明する。
【００２２】
本発明に係る棺１は、図４に示すように、大別して、本体部２，蓋部３及び底盤部４を備える。本体部２は、上方が開放され、被火葬体Ｈを収容する機能を備えるとともに、蓋部３は、本体部２の上方を覆うことにより全体を密閉状に閉塞する機能を備える。また、底盤部４は、本体部２の底面２ｄに固定することにより、被火葬体Ｈの荷重を支持する機能を備える。
【００２３】
この場合、本発明に従って、本体部２，蓋部３及び底盤部４は、いずれも全体を紙Ｐにより形成する。紙Ｐとしては、一般的な厚紙などであっても構成可能であるが、望ましくはダンボール紙Ｐｄを用いる。ダンボール紙Ｐｄは、図６に示すように、一対の板紙Ｐａ，Ｐｂの間に波状（階段状）に湾曲形成した中間紙Ｐｃを介在させた三層構造からなる一般的なダンボール紙を用いてもよいし、或いは、専用に製作したダンボール紙を用いてもよい。紙Ｐとして、このようなダンボール紙Ｐｄを用いれば、厚さや強度等のダンボール紙Ｐｄの有するメリットを享受できるため、棺１を製造する際における最適な素材として利用できる利点がある。
【００２４】
例示の棺１は、図１〜図３に示すように、全体を、球面部Ｓｓ及び曲面部Ｓｒを組合わせた卵形に形成する。そして、中間部位を水平ラインＬｃでカットした形状により、下側を本体部２として構成し、かつ上側を蓋部３として構成するとともに、別途製作した図６に示す底盤部４を本体部２の下面（底面の外面）に固定する。本体部２と蓋部３は、それぞれ成形型を用いたプレス成形により成形することができる。なお、成形する紙Ｐに対しては、予め、合成樹脂等のバインダーを滲み込ませることにより、成形後の形状が維持されるように処理することができる。また、本体部２と蓋部３は、それぞれ一体成形することが望ましいが、必ずしも一体成形することを要せず、個別に製造した複数の部品を接着等により組合わせ、これにより一体化させてもよい。
【００２５】
次に、本体部２，蓋部３及び底盤部４の具体的な構造について説明する。例示する本体部２は、図５に示すように二層構造に構成した。この場合、外層２ｏは外面を形成するため、外観性等を考慮して形成するとともに、内層２ｉは内面を形成するとともに、蓋部３に対する位置決め機能を持たせるため、図４に示すように、外層２ｏの上端辺よりも上方へ突出する突出部２ｉｃを有する形状に形成する。
【００２６】
また、例示する蓋部３は、図５に示すように一層構造とし、一端側の所定部位Ｘｗ、即ち、図３に示すように、本体部２に収容した被火葬体Ｈの顔部Ｈｆの上方に位置する部位Ｘｗには、開口部１２を設けるとともに、この開口部１２を開閉する扉部１３を設ける。このような開口部１２及び扉部１３を設ければ、一般的な棺に設けられ小窓（扉）と同様に機能させることができるため、棺１及び棺用内部カバー１ｓに必要となる基本的な機能を容易に確保できる利点がある。
【００２７】
この場合、扉部１３は、一端側に設けたヒンジ部１４を支点として回動変位可能に構成する。したがって、扉部１３の他端側は自由端となる。図１及び図５において、Ｘｃが閉位置、Ｘｏが開位置をそれぞれ示している。さらに、自由端となる扉部１３の他端側には、止バンド部２１の一端を固定して設けるとともに、扉部１３に、この止バンド部２１を挿通させることができる複数（例示は二つ）の切込部２２ａ，２２ｂを形成する。これにより、止バンド部２１を、上側の切込部２２ａに外側から挿通させた後，下側の切込部２２ｂに内側から挿通させれば、扉部１３を閉位置Ｘｃに固定することができる。
【００２８】
この扉部１３も、蓋部３と同様の紙Ｐ（ダンボール紙Ｐｄ）により形成するとともに、ヒンジ部１４及び止バンド部２１も紙Ｐを用いる。具体的には、強度及びデザインを考慮した一枚の紙片を用いたヒンジ部材１４ｐを、図２に示すように、扉部１３と蓋部３間に跨がるように貼り付けることによりヒンジ部１４を構成できる。また、同様に、強度及びデザインを考慮した一枚の短冊紙片を用いたバンド部材２１ｐの一端（上端）を、図２に示すように、自由端となる扉部１３の他端側に貼り付けることにより止バンド部２１を構成できる。このように構成すれば、棺１を構成する全ての素材（部品）を紙Ｐで形成できるため、焼いた後に無用な異物が残留する弊害を回避できる。したがって、棺１にとって最適な形態として実施できる利点がある。
【００２９】
さらに、底盤部４は、被火葬体Ｈの荷重を支持できる強度が得られるように紙Ｐを利用して構成する。被火葬体Ｈの荷重を支持できるとは、被火葬体Ｈを載せた際に、ある程度の撓みが生じるとしても、中間部に折れ曲がり（屈折）が生じることなく支持できることを意味する。具体的には、図６に示すように、縦方向Ｆｖに配した複数のダンボール紙Ｐｄ…を横方向Ｆｈに接着し、積層構造として構成する。この際、縦方向Ｆｖの寸法を選定すれば、縦方向Ｆｖの荷重に対する支持強度を必要な大きさに設定できる。また、底盤部４の外周面は、化粧紙Ｐｒで覆うことにより外観性を考慮する。底盤部４をこのように構成すれば、垂直方向に付与される力に対する必要かつ十分な強度を得れるため、特に、被火葬体Ｈの荷重を支持するに必要な強度を容易に確保できる利点がある。そして、この底盤部４は、前述した図５に示すように、本体部２の下面（底面の外面）に接着により固定する。
【００３０】
以上により、本実施形態に係る棺１の基本的な形態を製作できる。なお、本体部２及び蓋部３は、成形を行った段階において、必要な塗装や印刷を行うことができるとともに、必要に応じて化粧紙等を表面に貼り付けることができる。
【００３１】
また、この際において、図７及び図８に示すように、蓋部３の一部（上面）に、プレス成形により外方に膨出形成した模様部１１を設けることもできる。このように、紙Ｐを用いたことから、外観上、凹凸のある模様部１１を、プレス成形により容易に形成できる。したがって、花や図案等の模様に対する立体感や高級感を容易に醸し出すことができる利点がある。例示の模様部１１は、花の模様を示している。なお、例示する模様部１１は、蓋部３の一部に設けた場合を示したが、蓋部３の全部に設けてもよいし、或いは本体部２の全部又は一部に設けてもよい。
【００３２】
よって、このような本実施形態に係る棺１によれば、本体部２及び蓋部３を構成する素材として加工性に優れた紙Ｐを用いるため、球面部Ｓｓや曲面部Ｓｒを容易かつ自在に形成できる。したがって、様々な形状（形態）を容易に実現できるとともに、特に、生きてきた最後に身を包むものとして、宗教的或いは個人的なものも含め、様々な要求に応えることができるなど、形状面の多様性、更にはファンタジ性を飛躍的に拡大させることができる。しかも、住宅内等で移動させる際に、狭い直角通路であっても容易に通過できるとともに、棺の角を、壁や柱にぶつけてしまう不具合を回避できる。また、紙Ｐにより形成し、本体部２に対して被火葬体Ｈの荷重を支持する底盤部４を組合わせたため、基本的に木製部分を一切排除可能となる。この結果、安価な素材による低コスト化を図れるとともに、大幅な軽量化を実現できるなど、木製の棺に存在する問題点をほぼ完璧に近い形で解消できる。
【００３３】
次に、本発明の変更実施形態に係る棺１の構成について、図９及び図１０を参照して説明する。
【００３４】
この変更実施形態に係る棺１は、図１〜図８に示した基本形態の棺１に対して、本体部２を一枚の平坦な紙Ｐにより構成、即ち、前述した底盤部４の上面に一枚のシート部材２ｓを貼り付けた形態により構成した点、蓋部３をいわゆる蒲鉾形Ｓｃに形成した点、開口部１２及び扉部１３を設けるも、矩形に形成した扉部１３を、紙Ｐを用いたレール部１５により、開閉変位可能に支持、即ち、スライド式に開閉可能にした点、が異なる。
【００３５】
この場合、本体部２に対して蓋部３を装着するに際しては、本体部２及び底盤部４に対して蓋部３を上から被せればよい。この際、図１０に仮想線で示すように、本体部２及び底盤部４が、蓋部３に対して下方から進入するとともに、蓋部３の開口部に対して底盤部４の中間部位が位置した状態で、本体部２の上面が蓋部３の内部に設けたストッパ部３１…に係止するように構成する。特に、本体部２を、底盤部４の上面に貼り付けることができる一枚のシート部材２ｓにより構成すれば、本体部２に対して被火葬体Ｈを容易に収容できる利点がある。
【００３６】
また、変更実施形態に係る棺１は、蓋部３の形状を蒲鉾形Ｓｃに形成したため、蓋部３の両端面は平坦面に形成するとともに、周面部を曲面部Ｓｒとして形成した。即ち、蓋部３の一部に曲面部Ｓｒを形成した形態となる。したがって、変更実施形態に係る棺１によれば、プレス成形による成形は不要であり、曲げ加工機等を用いた単純な曲げ工程で製作可能になるとともに、印刷や塗装等も容易に行うことができる。さらに、レール部１５は、扉部１３の両側の辺部でスライド自在にガイドする一対のレールメンバ１５ａ，１５ｂにより構成する。一つのレールメンバ１５ａは、二枚の短冊状の紙片Ｐｍ，Ｐｎを蓋部３の内面に貼り付け、扉部１３の一辺部をスライド自在に支持するガイドスリット１５ａｓを構成する。他方のレールメンバ１５ｂもレールメンバ１５ａに対して左右対称に構成する点を除いてレールメンバ１５ａと同一に構成できる。なお、３２は、扉部１３に設けた把手部を示す。この把手部３２も紙Ｐによる構成できる。
【００３７】
したがって、変更実施形態による棺１であっても、棺１を構成する全ての素材（部品）を紙Ｐで形成できるため、焼いた後に無用な異物が残留する弊害を回避できる。この結果、棺１にとって最適な形態として実施できる。その他、図９及び図１０において、図１〜図８と同一部分（同一機能部分）には同一符号を付して、その構成を明確にするとともに、その詳細な説明は省略する。
【００３８】
他方、実施形態では棺１を例示して説明したが、この棺１は、直方体形状に形成する一般的な棺の中に入れて使用する棺用内部カバー１ｓとして使用することもできる。この場合、前述した棺１を、例えば、直方体形状に形成する一般的な棺の中に収容できるように、一回り小型のサイズに形成すれば、そのまま棺用内部カバー１ｓとして使用できる。この場合であっても、生きてきた最後に身を包むものとして、宗教的或いは個人的なものも含め、様々な要求に応えることができるなど、形状上の多様化を飛躍的に高めることができる利点がある。
【００３９】
以上、好適実施形態（変更実施形態）について詳細に説明したが、本発明は、このような実施形態に限定されるものではなく、細部の構成，形状，素材，数量，製造方法等において、本発明の要旨を逸脱しない範囲で、任意に変更，追加，削除することができる。特に、実施形態では特徴を分かりやすくするため、形状として卵形と蒲鉾形を例示したが、自動車，飛行機，植物，鳥，物語や宗教上の登場物等の様々なイメージを形状にすることができる。
【産業上の利用可能性】
【００４０】
本発明に係る棺及び棺用内部カバーは、火葬に使用する各種棺及び棺用内部カバーに利用できる。なお、被火葬体は直接的には人を意味するがペット等の動物を火葬する際にも利用可能である。
【符号の説明】
【００４１】
１：棺，１ｓ：棺用内部カバー，２：本体部，２ｄ：本体部の底面，３：蓋部，４：底盤部，１１：模様部，１２：開口部，１３：扉部，１４：ヒンジ部，１５：レール部，Ｈ：被火葬体，Ｐ：紙，Ｓｓ：球面部，Ｓｒ：曲面部，Ｐｄ：ダンボール紙，Ｆｖ：縦方向，Ｆｈ：横方向
【図１】
2016096893.tif 000003
【図２】
2016096893.tif 000004
【図３】
2016096893.tif 000005
【図４】
2016096893.tif 000006
【図５】
2016096893.tif 000007
【図６】
2016096893.tif 000008
【図７】
2016096893.tif 000009
【図８】
2016096893.tif 000010
【図９】
2016096893.tif 000011
【図１０】
2016096893.tif 000012